(57)【要約】【課題】搭載先のシステムが備えたファンの駆動回路を小型化することが可能な電源制御装置を提供する。【解決手段】電源制御装置は、画像形成装置の電源部の出力端に電源電圧低下保護回路を含む負荷を接続する第１経路と、その負荷または電源部を冷却するファンの各入力端をその電源部の出力端に接続する第２経路とを含む。監視部は、画像形成装置が稼働モードと待機モードとのいずれであるのかを監視する。画像形成装置が稼働モードから待機モードへ移行したことを監視部が検知したことに応じて指示部はまず遮断部に、第１経路を切断して電源部から負荷への電力供給を遮断するように指示し、次に電源部に、出力電圧をその負荷の定格電圧の下限よりも降下させるように指示する。この出力電圧が第２経路を通してファンに対しては印加されるので、ファンの風量が稼動モードでの値から減少する。【選択図】図６
2017091085.tif 000002
【特許請求の範囲】
【請求項１】
出力電圧の可変な電源と、前記電源からの電力を利用し、かつ電源電圧低下保護回路を含む負荷と、前記電源からの電力を利用して前記負荷または前記電源を冷却するファンとを備えたシステムに搭載された電源制御装置であり、
前記システムが稼働状態と待機状態とのいずれであるのかを監視する監視部と、
前記電源の出力端に前記負荷の入力端を接続する第１経路と、
前記出力端に前記ファンの入力端を接続する第２経路と、
前記第１経路を切断して前記電源から前記負荷への電力供給を遮断する遮断部と、
前記システムが待機状態に移行したことを前記監視部が検知したことに応じて、前記遮断部には前記電源から前記負荷への電力供給を遮断するように指示し、前記電源には出力電圧を前記負荷の定格電圧の下限よりも降下させるように指示する指示部と、
を備える電源制御装置。
【請求項２】
前記電源電圧低下保護回路は、前記負荷の電源電圧が前記負荷の定格電圧の範囲を下回った場合には前記負荷を停止させ、当該電源電圧が前記定格電圧の範囲内に復帰した場合には前記負荷を再起動させ、
前記指示部は前記電源に、前記システムが稼働状態であることを前記監視部が検知している間は出力電圧を前記定格電圧の範囲内に維持するように指示し、前記システムが待機状態に移行したことを前記監視部が検知したときは出力電圧を前記定格電圧の範囲よりも降下させるように指示する、
ことを特徴とする請求項１に記載の電源制御装置。
【請求項３】
前記ファンの冷却対象に供給され、または当該冷却対象から送出される電流量を検出する熱源電流検出部
を更に備え、
前記指示部は、前記システムが待機状態に移行したことを前記監視部が検知した時点以降、前記電源に指示すべき出力電圧の降下量の決定に、前記熱源電流検出部が検出した電流量を利用する、
ことを特徴とする請求項１または請求項２に記載の電源制御装置。
【請求項４】
前記ファンの冷却対象から送出される電流を利用する電子機器を外付けするための接続部を前記システムが更に備え、
前記指示部は、前記接続部が前記電子機器を検出したことに応じて、前記熱源電流検出部が検出した電流量と前記電子機器の駆動に必要な電流量との和を求め、当該和から前記電源に指示すべき出力電圧の降下量を決定する
ことを特徴とする請求項３に記載の電源制御装置。
【請求項５】
前記電源からの電力を利用し、かつ電源電圧低下保護回路を含まない別の負荷を前記システムが更に備え、
前記別の負荷に供給される電流量を検出する負荷電流検出部
を更に備え、
前記第２経路は前記別の負荷の入力端を前記電源の出力端に、前記ファンの入力端と共通に接続し、
前記指示部は、前記システムが待機状態に移行したことを前記監視部が検知した時点以降、前記電源に指示すべき出力電圧の降下量の決定に、前記負荷電流検出部が検出した電流量を利用する、
ことを特徴とする請求項１から請求項４までのいずれかに記載の電源制御装置。
【請求項６】
前記別の負荷は、電源電圧を当該電源電圧よりも低い出力電圧に変換する降圧変換部であることを特徴とする請求項５に記載の電源制御装置。
【請求項７】
前記ファンの冷却対象そのものの温度、または当該冷却対象の周囲の温度を検出する温度検出部
を更に備え、
前記指示部は、前記システムが待機状態に移行したことを前記監視部が検知した時点以降、前記電源に指示すべき出力電圧の降下量の決定に、前記温度検出部が検出した温度を利用する、
ことを特徴とする請求項１から請求項６までのいずれかに記載の電源制御装置。
【請求項８】
前記負荷の動作に伴う音量を検出する音量検出部
を更に備え、
前記指示部は、前記システムが待機状態に移行したことを前記監視部が検知した時点以降、前記電源に指示すべき出力電圧の降下量の決定に、前記音量検出部が検出した音量を利用する、
ことを特徴とする請求項１から請求項７までのいずれかに記載の電源制御装置。
【請求項９】
前記監視部は、前記システムが待機状態よりも消費電力の低い省電力状態に移行したことを検知可能であり、
前記指示部は、前記システムが省電力状態に移行したことを前記監視部が検知したことに応じて前記電源に停止または前記ファンへの電力供給の遮断を指示する、
ことを特徴とする請求項１から請求項８までのいずれかに記載の電源制御装置。
【請求項１０】
前記指示部は、
前記遮断部に電力供給の遮断を指示するための信号の送出タイミングを、前記電源に出力電圧の降下を指示するための信号の送出タイミングよりも先に設定し、
前記遮断部に電力供給の再開を指示するための信号の送出タイミングを、前記電源に出力電圧の上昇を指示するための信号の送出タイミングよりも後に設定する
ことを特徴とする請求項１から請求項９までのいずれかに記載の電源制御装置。
【請求項１１】
出力電圧の可変な電源部と、
前記電源部からの電力で可動部材を駆動してシートを搬送すると共に、像担持体に画像を形成し、当該画像を前記像担持体から前記シートへ転写する画像形成部と、
前記電源部からの電力で前記画像形成部または前記電源部を冷却する空冷ファンと、
前記画像形成部の状態に応じて前記電源部を制御する電源制御部と、
を備える画像形成装置であり、
前記画像形成部は、
前記電源部からの電力で前記可動部材または前記像担持体を駆動し、かつ電源電圧低下保護回路を含む駆動部
を有し、
前記電源制御部は、
前記画像形成部が稼働状態と待機状態とのいずれであるのかを監視する監視部と、
前記電源部の出力端に前記駆動部の入力端を接続する第１経路と、
前記出力端に前記空冷ファンの入力端を接続する第２経路と、
前記第１経路を切断して前記電源部から前記駆動部への電力供給を遮断する遮断部と、
前記画像形成部が待機状態に移行したことを前記監視部が検知したことに応じて、前記遮断部には前記電源部から前記駆動部への電力供給を遮断するように指示し、前記電源部には出力電圧を前記駆動部の定格電圧の下限よりも降下させるように指示する指示部と、
を有する、画像形成装置。
【請求項１２】
前記画像形成部を外部に露出させる扉を含む筐体と、
前記扉が開いたことを検知する検知部と、
を更に備え、
前記遮断部は、前記扉が開いたことを前記検知部が検知したことに応じて前記電源部から前記駆動部への電力供給を遮断する
ことを特徴とする請求項１１に記載の画像形成装置。
【請求項１３】
前記画像形成部は、
前記像担持体から前記シートに転写された画像を前記シートに定着させる定着部と、
前記定着部の雰囲気中に浮遊する微粒子の濃度を計測する微粒子計測部と、
透過する気流から微粒子を除去するフィルターと、前記定着部の雰囲気に前記フィルターを透過させる換気ファンとを含む換気部と、
を更に含み、
前記指示部は、前記画像形成部が待機状態に移行したことを前記監視部が検知した時点以降、前記電源部に指示すべき出力電圧の降下量の決定に、前記微粒子計測部が計測した濃度を利用する、
ことを特徴とする請求項１１または請求項１２に記載の画像形成装置。
【発明の詳細な説明】
【技術分野】
【０００１】
本発明は電源制御装置に関し、特に、搭載先のシステムが備えたファンの電源電圧を制御する技術に関する。
【背景技術】
【０００２】
ファンは、電子回路を利用するシステム、特にメカトロニクスシステムには不可欠な要素の一つである。実際、これらのシステムでは、ＣＰＵ等のマイクロプロセッサー、モーター等のアクチュエーター、および電源部のパワートランジスターが動作中、多量の電流を通過させるのに伴い、多量のジュール熱を放出する。したがって、システムの制御部、駆動部、および電源部に風を当てて過熱を防ぐための空冷ファンがシステム内に設置される。これらの要素の冷却には限られず、ファンの用途は多岐にわたる。たとえば、電子写真式の画像形成装置はシートへのトナー像の定着に多量の熱を利用するので、これらの装置の多くは、定着部または定着処理後のシートの束を冷却するための空冷ファンを備える（たとえば特許文献１、２参照）。これらの装置には更に、トナーから定着部の雰囲気中へ遊離した外添剤等の超微粒子を換気ファンとフィルターとでその雰囲気から除去する機種もある（たとえば特許文献３参照）。その他に、シートを給紙カセット内の束、または転写ローラーもしくは定着ローラーから分離する際に、そのシートに風を吹き付けてその分離を促すための送風ファンを備えた機種もある。
【０００３】
これらのシステムでは一般に、ファンの風量がシステムの動作モードに応じて調節される。具体的にはたとえば、稼動モードのシステムでは各要素からの発熱量が大きいので空冷ファンの回転数が全速に維持され、待機モードのシステムではその発熱量が小さいので回転数が半速等、全速よりも低速に抑えられる。このような制御により、ファンの消費電力が抑えられる。
【０００４】
ファンに対するこのような制御では通常、２種類の出力回路が利用される。たとえば特許文献１、２に開示されたファンの駆動回路は全速用の出力回路と半速用の出力回路とを含む。全速用の出力回路はシステムの制御部または駆動部の電源電圧をそのままファンに対して印加する。半速用の出力回路は、パワートランジスターに直列に接続された抵抗を含み、その抵抗で制御部または駆動部の電源電圧を降下させてファンに対して印加する。この駆動回路は、システムの稼働モードでは全速用の出力回路を利用し、待機モードでは半速用の出力回路を利用する。この使い分けに伴う電源電圧の変化により、ファンの回転数は稼働モードでは全速に維持され、待機モードでは半速に抑えられる。
【０００５】
これらの出力回路の利用は次の点で有利である。いずれの出力回路も入力電圧が等しいので、その入力電圧を生成するトランス等の電力変換回路が単一でよい。特にシステム内の他の負荷が利用する電力変換回路が兼用されてもよい。この場合、半速用の出力回路がファンの電源電圧を下げているときでも電力変換回路の出力電圧は変わらないので、他の負荷の電源電圧は一定の高レベルに維持される。したがって、他の負荷の中に電源電圧低下保護（ＵＶＬＯ。「低電圧誤動作防止」ともいう。）回路を利用するもの（たとえば特許文献４参照。）が含まれていても、これらの負荷の動作は、ファンの電源電圧の低下にかかわらず、安定に維持される。「ＵＶＬＯ回路」とは、負荷の電源電圧が定格電圧の下限を下回ったことを検知した時点でその負荷を停止させることによりその誤動作を防ぐ回路をいう。この利点により、ファンに対して上記の制御が行われる場合でもシステムにはファン専用の電源、特に電力変換回路が不要である。
【先行技術文献】
【特許文献】
【０００６】
【特許文献１】特開平０８−０１６０７４号公報
【特許文献２】特開昭６２−２６２８８３号公報
【特許文献３】特開２０１５−１１８２４２号公報
【特許文献４】特開２０１３−１０２６５８号公報
【発明の概要】
【発明が解決しようとする課題】
【０００７】
システムの動作モードに応じたファンの制御に上記２種類の出力回路を利用することは次の点で不利である。半速用の出力回路は抵抗で電源電圧を降下させる。この抵抗を実現させるには、この出力回路が組み込まれる半導体素子にある程度の面積が確保されねばならない。この面積は、電源電圧を降下させるべき量で決まる。この出力回路には更に、ファンと並列に接続されて抵抗で降下したファンの電源電圧を安定化させる電解コンデンサが必要である。その上、このコンデンサへの突入電流に耐え得る程度にオン抵抗が低くなければならないので、パワートランジスターがある程度のサイズを必要とする。これらの条件はいずれもこの出力回路の更なる小型化を阻む。また、この抵抗から生じるジュール熱は抑えることも回収することも難しいので、この出力回路の利用はシステムの省電力化にも不利である。
【０００８】
本発明の目的は上記の課題を解決することであり、特に、搭載先のシステムが備えたファンの駆動回路を更に小型化することが可能な電源制御装置を提供することにある。
【課題を解決するための手段】
【０００９】
本発明の１つの観点における電源制御装置は、出力電圧の可変な電源と、その電源からの電力を利用し、かつ電源電圧低下保護回路を含む負荷と、その電源からの電力を利用してその負荷またはその電源を冷却するファンとを備えたシステムに搭載される。この電源制御装置は、システムが稼働状態と待機状態とのいずれであるのかを監視する監視部と、電源の出力端に負荷の入力端を接続する第１経路と、その出力端にファンの入力端を接続する第２経路と、第１経路を切断して電源から負荷への電力供給を遮断する遮断部と、システムが待機状態に移行したことを監視部が検知したことに応じて、遮断部には電源から負荷への電力供給を遮断するように指示し、電源には出力電圧を負荷の定格電圧の下限よりも降下させるように指示する指示部とを備える。
【００１０】
電源電圧低下保護回路は、負荷の電源電圧がその負荷の定格電圧の範囲を下回った場合にはその負荷を停止させ、電源電圧が定格電圧の範囲内に復帰した場合にはその負荷を再起動させてもよい。指示部は電源に、システムが稼働状態であることを監視部が検知している間は出力電圧を負荷の定格電圧の範囲内に維持するように指示し、システムが待機状態に移行したことを監視部が検知したときは出力電圧をその定格電圧の範囲よりも降下させるように指示してもよい。
【００１１】
この電源制御装置は、ファンの冷却対象に供給され、またはその冷却対象から送出される電流量を検出する熱源電流検出部を更に備えてもよい。この場合、指示部は、システムが待機状態に移行したことを監視部が検知した時点以降、電源に指示すべき出力電圧の降下量の決定に、熱源電流検出部が検出した電流量を利用してもよい。
ファンの冷却対象から送出される電流を利用する電子機器を外付けするための接続部をシステムが更に備えてもよい。この場合、指示部は、その接続部がその電子機器を検出したことに応じて、熱源電流検出部が検出した電流量とその電子機器の駆動に必要な電流量との和を求め、その和から電源に指示すべき出力電圧の降下量を決定してもよい。
【００１２】
電源からの電力を利用し、かつ電源電圧低下保護回路を含まない別の負荷をシステムが更に備えてもよい。この場合、この電源制御装置は、その別の負荷に供給される電流量を検出する負荷電流検出部を更に備えてもよい。第２経路はその別の負荷の入力端を電源の出力端へ、ファンの入力端と共通に接続してもよい。指示部は、システムが待機状態に移行したことを監視部が検知した時点以降、電源に指示すべき出力電圧の降下量の決定に、負荷電流検出部が検出した電流量を利用してもよい。その別の負荷は、電源電圧をその電源電圧よりも低い出力電圧に変換する降圧変換部であってもよい。
【００１３】
この電源制御装置は、ファンの冷却対象そのものの温度、またはその冷却対象の周囲の温度を検出する温度検出部を更に備えてもよい。この場合、指示部は、システムが待機状態に移行したことを監視部が検知した時点以降、電源に指示すべき出力電圧の降下量の決定に、温度検出部が検出した温度を利用してもよい。
この電源制御装置は、負荷の動作に伴う音量を検出する音量検出部を更に備えてもよい。指示部は、システムが待機状態に移行したことを監視部が検知した時点以降、電源に指示すべき出力電圧の降下量の決定に、音量検出部が検出した音量を利用してもよい。
【００１４】
監視部は、システムが待機状態よりも消費電力の低い省電力状態に移行したことを検知可能であってもよい。この場合、指示部は、システムが省電力状態に移行したことを監視部が検知したことに応じて電源に、停止またはファンへの電力供給の遮断を指示してもよい。
指示部は、遮断部に電力供給の遮断を指示するための信号の送出タイミングを、電源に出力電圧の降下を指示するための信号の送出タイミングよりも先に設定し、遮断部に電力供給の再開を指示するための信号の送出タイミングを、電源に出力電圧の上昇を指示するための信号の送出タイミングよりも後に設定してもよい。
【００１５】
本発明の１つの観点による画像形成装置は、出力電圧の可変な電源部と、この電源部からの電力で可動部材を駆動してシートを搬送すると共に、像担持体に画像を形成し、その画像をその像担持体からそのシートへ転写する画像形成部と、電源部からの電力を利用して画像形成部または電源部を冷却する空冷ファンと、画像形成部の状態に応じて電源部を制御する電源制御部とを備える。画像形成部は、電源部からの電力で可動部材または像担持体を駆動し、かつ電源電圧低下保護回路を含む駆動部を有する。電源制御部は、画像形成部が稼働状態と待機状態とのいずれであるのかを監視する監視部と、電源部の出力端に駆動部の入力端を接続する第１経路と、その出力端にファンの入力端を接続する第２経路と、第１経路を切断して電源部から駆動部への電力供給を遮断する遮断部と、画像形成部が待機状態に移行したことを監視部が検知したことに応じて、遮断部には電源部から駆動部への電力供給を遮断するように指示し、電源部には出力電圧を駆動部の定格電圧の下限よりも降下させるように指示する指示部とを有する。
【００１６】
この画像形成装置は、画像形成部を外部に露出させる扉を含む筐体と、その扉が開いたことを検知する検知部とを更に備えてもよい。この場合、遮断部は、その扉が開いたことを検知部が検知したことに応じて電源部から駆動部への電力供給を遮断してもよい。
画像形成部は、像担持体からシートに転写された画像をそのシートに定着させる定着部と、定着部の雰囲気中に浮遊する微粒子の濃度を計測する微粒子計測部と、透過する気流から微粒子を除去するフィルターと、定着部の雰囲気にそのフィルターを透過させる換気ファンとを含む換気部とを更に含んでもよい。この場合、指示部は、画像形成部が待機状態に移行したことを監視部が検知した時点以降、電源部に指示すべき出力電圧の降下量の決定に、微粒子計測部が計測した濃度を利用してもよい。
【発明の効果】
【００１７】
本発明による上記の電源制御装置は、システムが待機状態に移行したことに応じて、第１経路を切断して電源から負荷への電力供給を遮断すると共に、電源に出力電圧を負荷の定格電圧の下限よりも降下させる。電源から第２経路を通したファンへの電力供給は維持されるので、降下した出力電圧はファンに対しては印加される。これによりこの電源制御装置には、ファンの電源電圧を下げるための抵抗が不要である。こうしてこの電源制御装置は、搭載先のシステムが備えたファンの駆動回路を更に小型化することを可能にする。
【図面の簡単な説明】
【００１８】
【図１】本発明の実施形態１による画像形成装置の外観を示す斜視図である。
【図２】図１が示す画像形成装置の内部構造を模式的に示す正面図である。
【図３】（ａ）は、図１が示す画像形成装置の斜め前方からの模式的な斜視図であり、（ｂ）は、この画像形成装置のシャーシの斜め後方からの模式的な斜視図である。
【図４】図１が示す画像形成装置の電子制御系統のブロック図である。
【図５】図１が示す画像形成装置の状態遷移図である。
【図６】図４が示す電源部の回路図である。
【図７】図４が示すＵＶＬＯ回路の動作とそれを備えた負荷の電源電圧とのタイミングチャートである。
【図８】（ａ）は、図１が示す画像形成装置の備えた前扉が開いたときの外観を示す斜視図であり、（ｂ）は、その前扉の開閉を示す信号と負荷の電源電圧とのタイミングチャートである。
【図９】（ａ）は、図６が示す電源制御部が利用する信号、およびその高電圧入力端子と第１電圧出力端子との各電位のタイミングチャートであり、（ｂ）は、（ａ）の破線で囲まれた部分の拡大図であり、（ｃ）は、（ａ）の一点鎖線で囲まれた部分の拡大図である。
【図１０】図６が示す電源制御部による処理のフローチャートである。
【図１１】本発明の実施形態２による電源部の回路図である。
【図１２】（ａ）は、図１１の示す検出部が検出した負荷電流量とファンの電源電圧との間の関係を表すグラフであり、（ｂ）は、これらの負荷電流量とファンの電源電圧とに加え、図１１が示す電源制御部が利用する信号のタイミングチャートである。
【図１３】（ａ）は、図１１の示す検出部が検出した電力変換部の温度とファンの電源電圧との間の関係を表すグラフであり、（ｂ）は、これらの温度とファンの電源電圧とに加え、図１１が示す電源制御部が利用する信号のタイミングチャートである。
【図１４】図１１が示す電源制御部による処理のフローチャートである。
【図１５】（ａ）は、図２の示す画像形成装置の変形例を示す部分正面図であり、（ｂ）は、印刷ジョブの処理以後における微粒子濃度の経時的変化を示すグラフであり、（ｃ）は、（ａ）の示す定着部の雰囲気中の微粒子濃度とファンの電源電圧との間の関係を表すグラフである。
【図１６】図１１が示す電源制御部による処理の変形例のフローチャートである。
【発明を実施するための形態】
【００１９】
以下、本発明の実施形態について、図面を参照しながら説明する。
《実施形態１》
［画像形成装置の外観］
図１は、本発明の実施形態１による画像形成装置の外観を示す斜視図である。この画像形成装置１００は胴内排紙型の複合機（multi-function peripheral：ＭＦＰ）であり、スキャナー、カラーコピー機、およびカラーレーザープリンターの機能を併せ持つ。図１を参照するに、このＭＦＰ１００の筐体の上面には自動原稿送り装置（auto document feeder：ＡＤＦ）１１０が開閉可能に装着されている。ＡＤＦ１１０の直下に位置する筐体の上部にはスキャナー１２０が内蔵され、下部にはプリンター１３０が内蔵され、更にその底部には複数段の給紙カセット１３３が引き出し可能に取り付けられている。スキャナー１２０とプリンター１３０との間には隙間ＤＳＰが開けられ、その中に排紙トレイ４６が配置されている。この隙間ＤＳＰの奥には排紙口４２が設置され、そこから排紙トレイ４６へシートが排紙される。隙間ＤＳＰの横に位置する筐体の前面部分には操作パネル５１が取り付けられている。操作パネル５１の前面にはタッチパネルが埋め込まれ、その周囲に各種の機械的な押しボタンが配置されている。タッチパネルは、操作画面、各種情報の入力画面等のＧＵＩ画面を表示し、それの含むアイコン、仮想ボタン、メニュー、ツールバー等のガジェットを通してユーザーの入力操作を受け付ける。
【００２０】
［プリンターの構造］
図２は、プリンター１３０の構造を模式的に示す正面図である。図２にはプリンター１３０の要素が、あたかも筐体の前面を透かして見えているように描かれている。図２を参照するに、プリンター１３０は電子写真式のカラープリンターすなわちカラーレザープリンターであり、給送部１０、作像部２０、定着部３０、および排紙部４０を含む。給送部１０から排紙部４０までは協働してＭＦＰ１００の画像形成部として機能し、画像データに基づいてシートに画像を形成する。
【００２１】
給送部１０は搬送ローラー群１２Ｐ、１２Ｆ、１２Ｒ、１３、１４を利用して給紙カセット１１からシートＳＨＴを１枚ずつ作像部２０へ給送する。シートＳＨＴの材質はたとえば紙または樹脂であり、紙種はたとえば、普通紙、上質紙、カラー用紙、または塗工紙であり、サイズはたとえば、Ａ３、Ａ４、Ａ５、またはＢ４である。
作像部２０は、給送部１０から送られたシートＳＨ２の上にトナー像を形成する。具体的には、４つの作像ユニット２１Ｙ、２１Ｍ、２１Ｃ、２１Ｋのそれぞれがまず感光体ドラム２５Ｙ、２５Ｍ、２５Ｃ、２５Ｋの表面を帯電させ、光走査部２６からのレーザー光を利用してその表面を画像データに基づいたパターンで露光する。これにより、その表面には静電潜像が作成される。各作像ユニット２１Ｙ、…は次にその静電潜像を、イエロー（Ｙ）、マゼンタ（Ｍ）、シアン（Ｃ）、およびブラック（Ｋ）の各色のトナーで現像する。得られた４色のトナー像は１次転写ローラー２２Ｙ、２２Ｍ、２２Ｃ、２２Ｋと感光体ドラム２５Ｙ、…との間の電界によって感光体ドラム２５Ｙ、…の表面から順番に中間転写ベルト２３の表面上の同じ位置へ転写される。こうしてその位置に１つのカラートナー像が構成される。このカラートナー像は更に中間転写ベルト２３と２次転写ローラー２４との間の電界により、両者２３、２４の間のニップへ通紙されたシートＳＨ２の表面へ転写される。その後、シートＳＨ２に分離電圧が印加されることによりそのシートＳＨ２が２次転写ローラー２４から剥がされ、定着部３０へ送り出される。
【００２２】
光走査部２６では４個の半導体レーザーから出射した４本の光線がポリゴンミラー２７１の側面で反射されて偏向する。ポリゴンミラー２７１はモーター２７２によりその中心軸のまわりで回転し続けるので、各半導体レーザーの出射光線と反射光線とが成す角度、すなわちその出射光線の偏向角が連続的に、かつ周期的に変化する。４本の反射光線はｆθレンズ２７３を透過し、折り返しミラー２８Ｙ、２９Ｙ、２８Ｍ、２９Ｍ、２８Ｃ、２９Ｃ、２８Ｋで反射される。これにより、異なる半導体レーザーの出射光線が異なる感光体ドラム２５Ｙ、…に照射される。
【００２３】
定着部３０は、作像部２０から送り出されたシートＳＨ２の上にトナー像を熱定着させる。具体的には、定着ローラー３１と加圧ローラー３２との間のニップへそのシートＳＨ２が通紙されるとき、定着ローラー３１はそのシートＳＨ２の表面へ内蔵のヒーターの熱を加え、加圧ローラー３２はそのシートＳＨ２の加熱部分に対して圧力を加えて定着ローラー３１へ押し付ける。定着ローラー３１からの熱と加圧ローラー３２からの圧力とにより、トナー像がそのシートＳＨ２の表面上に定着する。その後、定着部３０はこのシートＳＨ２を上部からガイド板４１に沿って排紙口４２へ送り出す。
【００２４】
排紙部４０は、定着部３０から送り出されたシートＳＨ２を、排紙ローラー４３によって排紙口４２から排出し、排紙トレイ４６に収容する。
［主制御部、電源部、空冷ファンの配置］
図３の（ａ）はＭＦＰ１００の斜め前方からの斜視図であり、（ｂ）はＭＦＰ１００のシャーシ１０１の斜め後方からの斜視図である。いずれの図面にも、ＭＦＰ１００が内蔵する、主制御部６０、電源部７０、およびそれらに対する空冷ファン８０が、あたかもＭＦＰ１００の筐体とシャーシ１０１とを透かして見えているように描かれている。
【００２５】
図３を参照するに、主制御部６０と電源部７０とはそれぞれ１枚の印刷回路基板に実装され、それらの基板が、ＭＦＰ１００の筐体の背面とシャーシ１０１との間に設けられた電装空間ＥＬＳの中に、その背面に対して平行に収容されている。図３は示していないが各基板上には外付け用の電子機器（オプション）に対する接続部（コネクタ）が設けられている。これらのオプションとしてはたとえば、ＵＳＢメモリー、ハードディスクドライブ（ＨＤＤ）、ソリッドステートドライブ（ＳＳＤ）等の可搬性記憶装置ＰＭＤ、ネットワーク（ＬＡＮ）カード、半導体メモリーボード、グラフィックボード等の機能拡張ボードＥＦＢが挙げられる。
【００２６】
図３を更に参照するに、空冷ファン８０は、ＭＦＰ１００の筐体のうち、電装空間ＥＬＳを外部から仕切る側面部分に埋め込まれている。このファン８０が回転すると、電装空間ＥＬＳ内の雰囲気にこの空間ＥＬＳから筐体の外へ向かう流れが生じる。この流れが主制御部６０と電源部７０とからの排熱を筐体の外へ運び出す。これによりこれらの要素６０、７０が冷却される。特にファン８０の風量が大きいほど電装空間ＥＬＳから筐体の外へ排出される単位時間あたりの熱量が大きいので、これらの要素６０、７０に対する冷却効果が高い。
【００２７】
［画像形成装置の電子制御系統］
図４は、ＭＦＰ１００の電子制御系統の構成を示すブロック図である。図４を参照するにこの系統では、ＡＤＦ１１０、スキャナー１２０、プリンター１３０に加え、操作部５０、主制御部６０、電源部７０、および空冷ファン８０がバス９０を通して互いに通信可能に接続されている。
【００２８】
−プリンターの駆動部−
プリンター１３０の各要素１０、２０、３０、４０は、モーター、ソレノイド等のアクチュエーター群１０Ａ、２０Ａ、３０Ａ、４０Ａとそれらの駆動部１０Ｄ、２０Ｄ、３０Ｄ、４０Ｄとを含む。アクチュエーター群１０Ａ、…は、図２の示す搬送ローラー群１２Ｐ、１２Ｆ、１２Ｒ、１３、１４、２３Ｒ、２４、３１、３２、４３を始め、ポリゴンミラー２７１、感光体ドラム２５Ｙ、…、１次転写ローラー２２Ｙ、…等、多様な可動部材を駆動する。各駆動部１０Ｄ、…はこれらのアクチュエーターに対する制御回路と駆動回路とを含む。制御回路は、マイクロプロセッサ（ＭＰＵ／ＣＰＵ）、特定用途向け集積回路（ＡＳＩＣ）、またはプログラム可能な集積回路（ＦＰＧＡ）等の電子回路であり、アクチュエーターの出力（制御量）に対する目標値を設定して駆動回路に指示する。たとえば、モーターからフィードバックされる実際の回転数に基づいてそのモーターに対する印加電圧の目標値を駆動回路に指示する。駆動回路はインバーターであり、パワートランジスター（ＦＥＴ）等のスイッチング素子を利用してアクチュエーターに対して電力を供給する。
【００２９】
−操作部−
操作部５０はユーザーの操作または外部の電子機器との通信を通してジョブの要求と印刷対象の画像データとを受け付けて、それらを主制御部６０へ伝える。図４を参照するに操作部５０は操作パネル５１と外部インタフェース（Ｉ／Ｆ）５２とを含む。操作パネル５１は、図１が示すように、押しボタン、タッチパネル、およびディスプレイを含む。操作パネル５１は、操作画面および各種パラメーターの入力画面等のＧＵＩ画面をディスプレイに表示する。操作パネル５１はまた、ユーザーが押下した押しボタンを識別し、またはユーザーが触れたタッチパネル上の位置を検出し、その識別または検出に関する情報を操作情報として主制御部６０へ伝える。特に印刷ジョブの入力画面がディスプレイに表示されている場合、操作パネル５１は、印刷対象のシートのサイズ、紙種、姿勢（縦置きと横置きとの別)、部数、カラー／モノクロの別、画質等、印刷に関する動作条件をユーザーから受け付けて、これらの条件を示す項目を操作情報に組み込む。外部Ｉ／Ｆ５２はＵＳＢポートまたはメモリーカードスロットを含み、それらを通してＵＳＢメモリー、ＨＤＤ等の外付けの記憶装置から直に印刷対象の画像データを読み込み、またはそれらの記憶装置へスキャナー１２０で取り込んだ画像データを書き出す。外部Ｉ／Ｆ５２はまた外部ネットワーク（図４は示していない。）に有線または無線で接続され、そのネットワーク上の他の電子機器から印刷対象の画像データを受信し、またはその電子機器へスキャナー１２０で取り込んだ画像データを送信する。
【００３０】
−主制御部−
主制御部６０は、図３の示す印刷回路基板のうちの１枚に実装された集積回路である。図４を参照するに主制御部６０は、ＣＰＵ６１、ＲＡＭ６２、およびＲＯＭ６３を含む。ＣＰＵ６１は１つのＭＰＵで構成され、各種ファームウェアを実行することにより、他の要素５０−８０、１１０−１３０に対する制御主体としての多様な機能を実現する。たとえばＣＰＵ６１は操作部５０に操作画面等のＧＵＩ画面を表示させてユーザーの入力操作を受け付けさせる。この入力操作に応じてＣＰＵ６１はＭＦＰ１００の動作モードを選択し、その動作モードに応じた処理を各要素１１０、１２０、１３０に指示する。ＲＡＭ６２は、ＤＲＡＭ、ＳＲＡＭ等の揮発性半導体メモリー装置であり、ＣＰＵ６１がファームウェアを実行する際の作業領域をＣＰＵ６１に提供すると共に、操作部５０が受け付けた印刷対象の画像データを保存する。ＲＡＭ６２は特に、ＣＰＵ６１が選択した動作モードの識別情報を、他の要素から参照可能に保持する。ＲＯＭ６３は書き込み不可の不揮発性記憶装置と書き換え可能な不揮発性記憶装置との組み合わせで構成されている。前者はファームウェアを格納する。後者は、ＥＥＰＲＯＭ、フラッシュメモリー、ＳＳＤ等の半導体メモリー装置、またはＨＤＤを含み、ＣＰＵ６１に環境変数等の保存領域を提供する。
【００３１】
主制御部６０は更にＭＦＰ１００の各要素１１０、…の動作状態を監視し、その動作状態の変化に応じて動作モードを適切に変更する。図５は、ＭＦＰ１００の状態遷移図である。図５を参照するに、ＭＦＰ１００の動作モードは、稼動モードＲＮＧ、待機モードＷＴＧ、およびスリープモード（「省電力モード」ともいう。）ＳＬＰの３種類に大別される。稼動モードＲＮＧのＭＦＰ１００は印刷等のジョブを実行する。たとえば、給送部１０は操作情報の示す枚数のシートを連続して給送し、作像部２０はトナー像の形成とシートへの転写とを繰り返し、定着部３０はシートへの加熱と加圧とを継続する。待機モードＷＴＧのＭＦＰ１００はジョブを実行可能な状態を維持したまま待機する。具体的には、給送部１０と作像部２０とは停止し、定着部３０は定着ローラー３１を予熱して適正な温度に保つ。スリープモードＳＬＰのＭＦＰ１００は電力消費を必要最小限に抑える。たとえば、給送部１０と作像部２０とに加えて定着部３０も停止し、特に定着ローラー３１が内蔵するヒーターへの電源供給が遮断される。
【００３２】
主制御部６０は、ＲＡＭ６２が保持する現時点での動作モードの識別情報を、ＭＦＰ１００に生じたイベントに応じて更新する。更新後の識別情報を参照することにより、ＭＦＰ１００の各要素１０、…は動作モードを切り換える。たとえば、稼動モードＲＮＧは、停止イベントＳＴＰに応じて待機モードＷＴＧへ移行し、パワーオフイベントＰＦＦに応じてスリープモードＳＬＰへ移行する。停止イベントＳＴＰは、ジョブの完了、停止ボタンの押下、およびネットワークからの停止命令の受信を含む。パワーオフイベントＰＦＦは電源オフボタンの押下を含む。稼動モードＲＮＧはまた、新たなジョブの要求ＪＢＲが生じたときには継続される。待機モードＷＴＧはジョブの要求ＪＢＲに応じて稼動モードＲＮＧへ移行し、待機期間の満了ＷＴＰまたはパワーオフイベントＰＦＦに応じてスリープモードＳＬＰへ移行する。スリープモードＳＬＰはジョブの要求ＪＢＲに応じて稼動モードＲＮＧへ移行し、復帰イベントＷＫＰに応じて待機モードＷＴＧへ移行する。復帰イベントＷＫＰは、任意の押しボタンの押下、タッチパネルへの接触、およびネットワークからの復帰命令の受信を含む。
【００３３】
主制御部６０は更に、動作モードを切り換える度に各要素１０、…に対して必要な情報を提供する。たとえば稼動モードＲＮＧを指示する場合に主制御部６０は、給送部１０に対しては、給送対象のシートの紙類と枚数、各搬送ローラー１２Ｐ、…の回転のタイミング、シートの搬送速度等を合わせて指示し、作像部２０に対しては画像データ、作像のタイミング等を合わせて指示し、定着部３０に対しては温調制御量、たとえばヒーターの発熱量を合わせて指示する。
【００３４】
−電源部−
電源部７０は、図３の示す印刷回路基板のうちの１枚に実装された電子回路である。図４を参照するに電源部７０は電力変換部７１と電源制御部７２とを含む。電力変換部７１は商用交流電源等の外部電源から電力を受け、その電力を直流電力に変換する。この直流電力がＭＦＰ１００の他の要素５０、６０、８０、９０、１１０、１２０、１３０により利用される。電源制御部７２は、これらの要素５０、…に適切な直流電圧値が供給されるように電力変換部７１を制御する。電源制御部７２は特に監視部７２１を含む。監視部７２１は、ＲＡＭ６２が保持するＭＦＰ１００の動作モードの識別情報から、ＭＦＰ１００が現時点で稼働モードと待機モードとのいずれであるのかを監視する。この監視結果に応じて電源制御部７２は、電力変換部７１が各要素５０、…に供給すべき直流電圧の目標値を選択する。
【００３５】
［電力変換部とその負荷］
図６は電源部７０の回路図である。図６を参照するに、電力変換部７１は、整流部７１Ｒ、高電圧部７１Ｈとその駆動部７１ＤＨ、低電圧部７１Ｌとその駆動部７１ＤＬ、および帰還部７１Ｆを含む。整流部７１Ｒはたとえば全波型であり、外部の交流電源ＣＰＳから受ける交流電力を整流して、その正負両方の電圧を、同じ周期で脈動する正の直流電圧に変換する。高電圧部７１Ｈと低電圧部７１ＬとはいずれもＤＣ／ＤＣコンバーターであり、たとえば絶縁型フライバック方式を採用する。整流後の脈動する直流電力から高電圧部７１Ｈは一定の高電圧ＶＨ、たとえば２４Ｖを生成し、低電圧部７１Ｌは一定の低電圧ＶＬ、たとえば５Ｖを生成する。各駆動部７１ＤＨ、７１ＤＬは各電圧部７１Ｈ、７１ＬのパワートランジスターＰＴＨ、ＰＴＬをオンオフさせ、特にそれぞれのデューティー比を帰還部７１Ｆからの光信号ＰＳＧに応じて調節する。帰還部７１Ｆは各電圧部７１Ｈ、７１Ｌの実際の出力電圧値ＶＨ、ＶＬを電源制御部７２からの指示信号ＦＲＲが示す目標値、たとえば２４Ｖ、５Ｖと比較して、両値間の差を光信号ＰＳＧで各駆動部７１ＤＨ、７１ＤＬにフィードバックする。
【００３６】
−高電圧部の負荷−
高電圧部７１Ｈの出力電圧ＶＨはＭＦＰ１００内の負荷のうち、可動部材のアクチュエーター等、比較的消費電力の高いものに電源電圧として利用される。これらの負荷としては、たとえばプリンター１３０内では、搬送ローラー群１２Ｐ、…の駆動モーター、光走査部２６の半導体レーザー、ポリゴンミラー２７１のモーター２７２、感光体ドラム２５Ｙ、…と１次転写ローラー２２Ｙ、…との駆動モーター、感光体ドラム２５Ｙ、…と転写ローラー２２Ｙ、２４との帯電器、および空冷ファン８０等が挙げられる。
【００３７】
高電圧部７１Ｈの負荷はＵＶＬＯ回路の有無によって２種類に大別される。「ＵＶＬＯ回路」は、負荷の電源電圧が定格電圧の下限を下回ったことを検知した時点でその負荷を停止させてその誤動作を防ぐ。ＵＶＬＯ回路を備えた負荷ＩＴＬ（以下、「ＵＶＬＯ負荷」と呼ぶ。）としてはたとえば、ステッピングモーター、ＤＣブラシレス（ＢＬＤＣ）モーター、感光体ドラム２５Ｙ、…と転写ローラー２２Ｙ、２４との帯電器が挙げられる。ステッピングモーターまたはＢＬＤＣモーターは特に搬送ローラーとポリゴンミラーとの駆動モーターとして利用される。一方、ＵＶＬＯ回路を持たない負荷ＬＧＬ（以下、単に「負荷」と呼ぶ。）としてはたとえば、ブラシモーター、電磁クラッチ、ソレノイド、イレーサーが挙げられる。ブラシモーターはたとえば空冷ファン８０を回転させる。電磁クラッチは搬送ローラーの制動時にそのローラーと駆動モーターとの間で駆動力の伝達を機械的に遮断する。ソレノイドはたとえば、カム構造を利用して搬送ローラーの回転のタイミングを制御し、給紙カセット１１の底板またはＡＤＦ１１０の給紙トレイの傾きを変える。イレーサーは、中間転写ベルト２３へトナー像を転写した直後の感光体ドラム２５Ｙ、…の表面に光を照射して、その表面に残る電荷を消失させる。
【００３８】
図７は、ＵＶＬＯ回路の動作とＵＶＬＯ負荷ＩＴＬの電源電圧とのタイミングチャートである。ＵＶＬＯ回路は、電源電圧を２種類の異なる閾値Ｖｏｎ、Ｖｏｆｆと比較する比較器（コンパレーター）を含む２値回路である。この比較器の出力に応じてＵＶＬＯ回路はその出力を一定の高レベルと低レベルとのいずれかに維持する。図７ではこの出力が高レベルである間はＵＶＬＯ負荷の動作が許可され、低レベルである間はその動作が禁止される。２種類の閾値の一方、オン閾値Ｖｏｎは他方、オフ閾値Ｖｏｆｆよりも高い：Ｖｏｎ＞Ｖｏｆｆ。比較器はヒステリシス特性を持つ。具体的には、電源電圧がオフ閾値Ｖｏｆｆよりも低い値から上昇する場合、電源電圧がオフ閾値Ｖｏｆｆを超えてオン閾値Ｖｏｎにまで達した時点Ｔｏｎ１で初めて、ＵＶＬＯ回路はその出力を低レベルから高レベルへ切り換える。その後、電源電圧がオン閾値Ｖｏｎよりも高い値から降下する場合、電源電圧がオン閾値Ｖｏｎを下回ってオフ閾値Ｖｏｆｆにまで降下した時点Ｔｏｆｆで初めてＵＶＬＯ回路はその出力を高レベルから低レベルへ切り換える。このようなヒステリシス特性により、電源電圧が実際にはノイズによって各閾値Ｖｏｎ、Ｖｏｆｆの近傍で変動したとしても、その変動にかかわらずＵＶＬＯ回路は出力を安定に維持することができる。
【００３９】
−低電圧部の負荷−
低電圧部７１Ｌの出力電圧ＶＬは、操作部５０、主制御部６０等、比較的消費電力の低い電子制御系統に属する負荷に電源電圧として利用される。これらの負荷には更に、図３が示すように主制御部６０等が実装された基板に外付けされたオプションＰＭＤ、ＥＦＢが含まれる。
【００４０】
［電源制御部］
図６を更に参照するに電源制御部７２は１つの集積回路であり、監視部７２１に加え、遮断部７２２、ＤＣ／ＤＣ変換器７２３、および指示部７２４を含む。各機能部７２１−７２４は電源制御部７２が実装された集積回路内のモジュールの１つとして構成される。電源制御部７２は更に、高電圧部７１Ｈの出力端に接続された高電圧入力端子ＨＶＳ、ＵＶＬＯ負荷ＩＴＬに接続された第１電圧出力端子ＦＯＴ、および空冷ファン８０を初めとする他の負荷ＬＧＬに接続された第２電圧出力端子ＳＯＴを含む。高電圧入力端子ＨＶＳには第１電圧出力端子ＦＯＴが第１経路ＰＴ１を通して接続されるのに加え、第２電圧出力端子ＳＯＴが第２経路ＰＴ２を通して接続される。
【００４１】
−監視部−
監視部７２１は、ＲＡＭ６２が保持するＭＦＰ１００の動作モードの識別情報ＯＰＭを監視し、その情報ＯＰＭをＣＰＵ６１が更新する度にその情報ＯＰＭからＭＦＰ１００の現時点での動作モードを識別する。監視部７２１は更に識別の結果を指示部７２４へ通知する。
【００４２】
−遮断部−
遮断部７２２は、第１経路ＰＴ１に挿入されたスイッチング素子を含み、この素子を指示部７２４からの指示信号ＣＯＦ（以下、「第１指示信号」という。）に応じてオンオフさせる。この素子の切断により高電圧部７１Ｈから第１経路ＰＴ１を通したＵＶＬＯ負荷ＩＴＬへの電力供給が遮断される。一方、第２経路ＰＴ２を通した高電圧入力端子ＨＶＳと第２電圧出力端子ＳＯＴとの間の接続は、遮断部７２２のオンオフにかかわらず維持される。これによりＵＶＬＯ負荷ＩＴＬ以外の負荷ＬＧＬは、遮断部７２２のオンオフにかかわらず高電圧部７１Ｈからの電力供給を受け続ける。
【００４３】
遮断部７２２のスイッチング素子としてはたとえば、既存の保護回路のスイッチング素子が利用される。この保護回路としてはたとえば、ＭＦＰ１００の動作中にユーザーが誤ってその筐体の備えた扉を開き、または給紙カセット１１を引き出した場合にＭＦＰ１００を緊急に停止させる回路が挙げられる。
図８の（ａ）は、図１が示すＭＦＰ１００の筐体が備えた前扉８００が開いたときの外観を示す斜視図であり、（ｂ）は、その前扉８００の開閉を示す信号ＤＯＰとＵＶＬＯ負荷の電源電圧ＦＯＴとのタイミングチャートである。図８の（ａ）を参照するに、ＭＦＰ１００の筐体のうち、前扉８００が閉じられたときにその先端に面する部分に変位センサー８１０が設置されている。このセンサー８１０はたとえばスイッチキャッチであり、前扉８００の裏側に貼り付けられた鉄板に接触している間はその出力信号ＤＯＰを無効に維持し、その鉄板から分離されたときにその出力信号ＤＯＰを有効にする。この鉄板は前扉８００の開きに伴ってセンサー８１０から分離するので、その出力信号ＤＯＰの有効化は前扉８００が開いたことを示す。この出力信号ＤＯＰの有効化がＭＦＰ１００の動作中に生じた場合、即座に高電圧部７１Ｈから各負荷ＩＴＬ、ＬＧＬへの電力供給を遮断するための保護スイッチを電源制御部７２は備えている。この電力供給の迅速な遮断により、ユーザーが前扉８００を開けた直後に手を筐体内に差し入れてもその感電が防止される。これらの保護スイッチのうち、ＵＶＬＯ負荷ＩＴＬに接続されたものが遮断部７２２のスイッチング素子として利用される。すなわち、図８の（ｂ）が示すとおり、変位センサー８１０の出力信号ＤＯＰが無効であって前扉８００が閉じた状態であることを示す間は遮断部７２２のスイッチング素子が閉じているので、ＵＶＬＯ負荷ＩＴＬの電源電圧ＦＯＴがＵＶＬＯ回路のオン閾値Ｖｏｎよりも高く維持される。前扉８００が開かれた時点Ｔｏｐでは変位センサー８１０の出力信号ＤＯＰが有効化されるので遮断部７２２のスイッチング素子が開き、ＵＶＬＯ負荷ＩＴＬの電源電圧ＦＯＴがＵＶＬＯ回路のオフ閾値Ｖｏｆｆよりも低く降下する。その後、前扉８００が元どおりに閉じられた時点Ｔｃｌでは変位センサー８１０の出力信号ＤＯＰが再び無効化されるので遮断部７２２のスイッチング素子が閉じ、ＵＶＬＯ負荷ＩＴＬの電源電圧ＦＯＴが再びＵＶＬＯ回路のオフ閾値Ｖｏｎよりも高く上昇する。
【００４４】
−ＤＣ／ＤＣ変換器−
ＤＣ／ＤＣ変換器７２３は高電圧部７１Ｈから高電圧入力端子ＨＶＳを通して高電圧ＶＨを受けてそれを所定の低電圧ＶＩＳ、たとえば３．３Ｖまで降下させて維持する。この低電圧は、電源制御部７２内の他の要素７２１、７２２、７２４、および電力変換部７１の駆動部７１ＤＨ、７１ＤＬと帰還部７１Ｆとにより電源電圧ＶＣＣとして利用される。
【００４５】
−指示部−
指示部７２４は、監視部７２１から通知されるＭＦＰ１００の動作モードの識別結果を監視する。その識別結果が稼動モードを示す間、指示部７２４は遮断部７２２には第１指示信号ＣＯＦで第１経路ＰＴ１の導通を維持するように指示する。それと並行して指示部７２４は電力変換部７１の帰還部７１Ｆには第１指示信号ＣＯＴとは別の信号ＦＲＲ（以下、「第２指示信号」という。）で、高電圧部７１Ｈの出力電圧ＶＨの目標値をＵＶＬＯ負荷ＩＴＬの定格電圧の範囲、たとえば２４Ｖ±１０％＝［２１．６Ｖ、２６．４Ｖ］に維持するように指示する。これにより、高電圧部７１Ｈから第１経路ＰＴ１を通したＵＶＬＯ負荷ＩＴＬへの電力供給が維持され、第１電圧出力端子ＦＯＴの電位、すなわちＵＶＬＯ負荷ＩＴＬの電源電圧が定格電圧に維持される。その結果、ＵＶＬＯ負荷ＩＴＬは安定に動作し続ける。一方、第２電圧出力端子ＳＯＴの電位もその定格電圧に維持されるので、他の負荷ＬＧＬも安定に動作し続ける。特に空冷ファン８０は全速で回転し続けるので、主制御部６０と電源部７０とに対する冷却効果が高く維持される。
【００４６】
監視部７２１からの識別結果が待機モードへの移行を示す場合、指示部７２４はまず遮断部７２２に第１指示信号ＣＯＦで、第１経路ＰＴ１を切断するように指示する。この切断により高電圧部７１ＨからＵＶＬＯ負荷ＩＴＬへの電力供給が遮断される。その結果、ＵＶＬＯ負荷ＩＴＬの電源電圧が接地電位ＧＮＤまで降下するので、ＵＶＬＯ負荷ＩＴＬは確実に停止する。指示部７２４は次に、電力変換部７１の帰還部７１Ｆに第２指示信号ＦＲＲでＵＶＬＯ負荷ＩＴＬの定格電圧の下限、たとえば２１．６Ｖよりも低い値を指示する。この低い値に高電圧部７１Ｈの出力電圧ＶＨの目標値が設定されるので、高電圧部７１Ｈが出力電圧ＶＨを降下させてその低い値に維持する。これに伴い、第２電圧出力端子ＳＯＴの電位、すなわちＵＶＬＯ負荷ＩＴＬ以外の負荷ＬＧＬの電源電圧が低く抑えられる。したがって空冷ファン８０の回転数が全速よりも減少するので、その風量が減少する。この減少に伴う主制御部６０と電源部７０とに対する冷却効果の低減量は、待機モードへの移行に伴う主制御部６０と電源部７０との発熱量の低下量に合わせて決定される。これにより、主制御部６０と電源部７０とのいずれをも過熱させることなく空冷ファン８０の消費電力が削減される。その他に、ＤＣ／ＤＣ変換器７２３は電源電圧の低下に伴って変換効率が向上するので、その消費電力が削減される。
【００４７】
図９の（ａ）は、指示部７２４が利用する信号ＯＰＭ、ＣＯＦ、高電圧入力端子ＨＶＳの電位、および第１電圧出力端子ＦＯＴの電位のタイミングチャートであり、（ｂ）は、（ａ）の破線で囲まれた部分Ｅ１の拡大図であり、（ｃ）は、（ａ）の一点鎖線で囲まれた部分Ｅ２の拡大図である。図９の（ａ）を参照するに、ジョブの開始時刻Ｔ０以降、動作モードの識別情報ＯＰＭは稼動モードを示す。監視部７２１はこの情報ＯＰＭから現時点での動作モードを「稼動モード」と識別して、その結果を指示部７２４へ通知する。この通知に応じて指示部７２４は第１指示信号ＣＯＦを有効に維持する。これにより遮断部７２２は第１経路ＰＴ１の導通を維持する。これと並行して指示部７２４は第２指示信号ＦＲＲで電力変換部７１の帰還部７１ＦにＵＶＬＯ負荷ＩＴＬの定格電圧値、たとえば２４Ｖを指示する。この値を帰還部７１Ｆは高電圧部７１Ｈの出力電圧値ＶＨの目標値に設定して高電圧部７１Ｈの実際の出力電圧値ＶＨと比較し、両値間の差を駆動部７１ＤＨにフィードバックする。これにより高電圧部７１Ｈは出力電圧ＶＨを目標値、すなわちＵＶＬＯ負荷ＩＴＬの定格電圧値２４Ｖに維持するので、高電圧入力端子ＨＶＳの電位がこの値２４Ｖに維持される。このとき、第１経路ＰＴ１が導通しているので、第１電圧出力端子ＦＯＴの電位、すなわちＵＶＬＯ負荷ＩＴＬの電源電圧が定格電圧値２４Ｖに維持される。
【００４８】
ジョブの終了時刻Ｔ１では動作モードの識別情報ＯＰＭが稼動モードから待機モードへ書き換えられる。監視部７２１はこの書き換えられた情報ＯＰＭから現時点での動作モードを「待機モード」と識別してその結果を指示部７２４へ通知する。この通知に応じて指示部７２４はまず第１指示信号ＣＯＦを無効化する。これにより遮断部７２２は第１経路ＰＴ１を切断するので第１電圧出力端子ＦＯＴの電位、すなわちＵＶＬＯ負荷ＩＴＬの電源電圧が接地電位ＧＮＤまで降下する。指示部７２４は次に、第２指示信号ＦＲＲで帰還部７１ＦにＵＶＬＯ負荷ＩＴＬの定格電圧の下限よりも低い値、たとえば１０Ｖを指示する。この値１０Ｖは、待機モードにおいて空冷ファン８０が主制御部６０と電源部７０との過熱を防止できる程度に設定される。この値１０Ｖを帰還部７１Ｆは高電圧部７１Ｈの出力電圧値ＶＨの目標値に設定して高電圧部７１Ｈの実際の出力電圧値ＶＨと比較し、両値間の差を駆動部７１ＤＨにフィードバックする。これにより高電圧部７１Ｈは出力電圧ＶＨをＵＶＬＯ負荷ＩＴＬの定格電圧値２４Ｖから目標値１０Ｖまで降下させるので、高電圧入力端子ＨＶＳの電位が同様に定格電圧値２４Ｖから目標値１０Ｖまで降下する。
【００４９】
厳密には、指示部７２４は第１指示信号ＣＯＦを無効化するタイミングを、第２指示信号ＦＲＲが示す目標値を切り換えるタイミングよりも先に設定する。具体的には、図９の（ｂ）が示すとおり、監視部７２１から「待機モード」が通知された時刻Ｔ１１では指示部７２４は先に第１指示信号ＣＯＦを無効化し、この時刻Ｔ１１から時間ΔＴＬ１だけ遅れた時刻Ｔ２２に第２指示信号ＦＲＲで帰還部７１Ｆに目標値の降下を指示する。この時間ΔＴＬ１だけ高電圧入力端子ＨＶＳにおける電位の降下が遅れるので、その降下がＵＶＬＯ回路にＵＶＬＯ負荷ＩＴＬを誤って停止させることが回避される。
【００５０】
図９の（ａ）を更に参照するに、次のジョブの開始時刻Ｔ２では動作モードの識別情報ＯＰＭが待機モードから稼動モードへ書き換えられる。監視部７２１はこの書き換えられた情報ＯＰＭから現時点での動作モードを「稼動モード」と識別して、その結果を指示部７２４へ通知する。この通知に応じて指示部７２４はまず第２指示信号ＦＲＲで帰還部７１ＦにＵＶＬＯ負荷ＩＴＬの定格電圧値、たとえば２４Ｖを指示する。この値を帰還部７１Ｆは高電圧部７１Ｈの出力電圧値ＶＨの目標値に設定して高電圧部７１Ｈの実際の出力電圧値ＶＨと比較し、両値間の差を駆動部７１ＤＨにフィードバックする。これにより高電圧部７１Ｈは出力電圧ＶＨをＵＶＬＯ負荷ＩＴＬの定格電圧値２４Ｖまで上昇させるので、高電圧入力端子ＨＶＳの電位が同様に定格電圧値２４Ｖまで上昇する。指示部７２４は次に第１指示信号ＣＯＦを有効化する。これにより遮断部７２２は第１経路ＰＴ１の導通を復活させる。その結果、高電圧部７１Ｈから第１経路ＰＴ１を通してＵＶＬＯ負荷ＩＴＬに対して定格電圧が印加されるのでＵＶＬＯ負荷ＩＴＬが確実に再起動する。一方、第２電圧出力端子ＳＯＴの電位もその定格電圧まで上昇するので、他の負荷ＬＧＬも安定に動作し続ける。特に空冷ファン８０の回転数が再び全速まで上昇するので、主制御部６０と電源部７０とに対する冷却効果が再び高まる。
【００５１】
厳密には、指示部７２４は第１指示信号ＣＯＦを有効化するタイミングを、第２指示信号ＦＲＲが示す目標値を切り換えるタイミングよりも後に設定する。具体的には、図９の（ｃ）が示すとおり、監視部７２１から「稼動モード」が通知された時刻Ｔ２１では指示部７２４は先に第２指示信号ＦＲＲで帰還部７１Ｆに目標値の上昇を指示し、この時刻Ｔ２１から時間ΔＴＬ２だけ遅れた時刻Ｔ２２に第１指示信号ＣＯＦを有効化する。この時間ΔＴＬ２だけ高電圧入力端子ＨＶＳの電位の上昇が遅れるので、上昇前の低い電位がＵＶＬＯ回路にＵＶＬＯ負荷ＩＴＬの起動を誤って阻止させることが回避される。
【００５２】
［電源制御部による処理の流れ］
図１０は電源制御部７２による処理のフローチャートである。この処理は、ＭＦＰ１００への電源投入により開始される。
ステップＳ１０１では、ＲＡＭ６２が保持するＭＦＰ１００の動作モードの識別情報ＯＰＭをＣＰＵ６１が更新したか否かを監視部７２１が定期的に確認する。具体的には、監視部７２１はその情報ＯＰＭをＲＡＭ６２から定期的に読み出して、その情報ＯＰＭからＭＦＰ１００の現時点での動作モードを識別し、その動作モードが稼動モードであるか否かを確認する。稼動モードであれば処理がステップＳ１０２へ進み、稼動モードでなければ処理がステップＳ１０１を繰り返す。
【００５３】
ステップＳ１０２では、ＭＦＰ１００の現時点での動作モードが稼動モードであることを監視部７２１は識別してその旨を指示部７２４へ通知する。この通知に応じて指示部７２４は第２指示信号ＦＲＲで電力変換部７１の帰還部７１ＦにＵＶＬＯ負荷ＩＴＬの定格電圧値２４Ｖを指示する。この値を帰還部７１Ｆは高電圧部７１Ｈの出力電圧値ＶＨの目標値に設定し、この目標値と高電圧部７１Ｈの実際の出力電圧値ＶＨとの間の差を駆動部７１ＤＨにフィードバックする。これにより、高電圧部７１Ｈは出力電圧ＶＨをこの目標値２４Ｖまで上昇させる。その後、処理はステップＳ１０３へ進む。
【００５４】
ステップＳ１０３では、指示部７２４が第２指示信号ＦＲＲを帰還部７１Ｆに送出した時点から遅れ時間ΔＴＬ２が経過した時点で、指示部７２４は第１指示信号ＣＯＦを有効化する。これにより遮断部７２２が第１経路ＰＴ１を導通させるので、高電圧部７１Ｈの出力電圧ＶＨがＵＶＬＯ負荷ＩＴＬに対して印加される。その後、処理はステップＳ１０４へ進む。
【００５５】
ステップＳ１０４では、ＲＡＭ６２が保持するＭＦＰ１００の動作モードの識別情報ＯＰＭをＣＰＵ６１が更新したか否かを監視部７２１が定期的に確認する。具体的には、監視部７２１はその情報ＯＰＭをＲＡＭ６２から定期的に読み出して、その情報ＯＰＭからＭＦＰ１００の現時点での動作モードを識別し、その動作モードが待機モードであるか否かを確認する。待機モードであれば処理がステップＳ１０５へ進み、待機モードでなければ処理がステップＳ１０４を繰り返す。
【００５６】
ステップＳ１０５では、ＭＦＰ１００の現時点での動作モードが待機モードであることを監視部７２１は識別してその旨を指示部７２４へ通知する。この通知に応じて指示部７２４は第１指示信号ＣＯＦを無効化する。これにより遮断部７２２が第１経路ＰＴ１を切断して高電圧部７１ＨからＵＶＬＯ負荷ＩＴＬへの電力供給を遮断する。その結果、ＵＶＬＯ負荷ＩＴＬの電源電圧が接地電位まで降下する。その後、処理はステップＳ１０６へ進む。
【００５７】
ステップＳ１０６では、指示部７２４が第１指示信号ＣＯＦを無効化した時点から遅れ時間ΔＴＬ１が経過した時点において、指示部７２４が第２指示信号ＦＲＲで帰還部７１ＦにＵＶＬＯ負荷ＩＴＬの定格電圧の下限よりも低い値１０Ｖを指示する。この値１０Ｖを帰還部７１Ｆは高電圧部７１Ｈの出力電圧値ＶＨの目標値に設定し、この目標値と高電圧部７１Ｈの実際の出力電圧値ＶＨとの間の差を駆動部７１ＤＨにフィードバックする。これにより高電圧部７１Ｈは出力電圧ＶＨをこの目標値１０Ｖまで降下させる。その後、処理はステップＳ１０７へ進む。
【００５８】
ステップＳ１０７では、ＣＰＵ６１が操作部５０からＭＦＰ１００の電源オフの通知（図５の示すパワーオフイベントＰＦＦ）を受けたか否かを監視部７２１が確認する。その通知を受けていれば処理がステップＳ１０８へ進み、受けていなければ処理がステップＳ１０１から繰り返される。
ステップＳ１０８では、ＣＰＵ６１が操作部５０からＭＦＰ１００の電源オフの通知を受けている。したがって、指示部７２４は電力変換部７１の電源電圧ＶＣＣを遮断し、または第２指示信号ＦＲＲに特定の値を設定することにより、電力変換部７１に停止を指示する。その後、処理は終了する。
【００５９】
［実施形態１の利点］
本発明の実施形態１による電源制御部７２では上記のとおり、ＭＦＰ１００が稼動モードである間は指示部７２４が電力変換部７１の高電圧部７１Ｈに出力電圧ＶＨをＵＶＬＯ負荷ＩＴＬの定格電圧に維持させ、遮断部７２２に第１経路ＰＴ１の導通を維持させる。これによりその出力電圧ＶＨがＵＶＬＯ負荷ＩＴＬに対して印加されるのでＵＶＬＯ負荷ＩＴＬは安定に動作し続ける。その出力電圧ＶＨは第２経路ＰＴ２を通して空冷ファン８０に対しても印加されるので、空冷ファン８０の回転数が全速に維持される。したがって主制御部６０と電源部７０とに対する冷却効果が高く維持される。ＭＦＰ１００が稼動モードから待機モードへ移行した場合、その移行を示す監視部７２１からの通知に応じて指示部７２４はまず遮断部７２２に第１経路ＰＴ１を切断させる。これによりＵＶＬＯ負荷ＩＴＬの電源電圧が接地電位まで降下するので、ＵＶＬＯ負荷ＩＴＬが確実に停止する。指示部７２４は次に高電圧部７１Ｈに出力電圧ＶＨをＵＶＬＯ負荷ＩＴＬの定格電圧の下限よりも降下させる。これにより第２経路ＰＴ２を通して第２電圧出力端子ＳＯＴの電位が降下するので空冷ファン８０の回転数が全速よりも減少する。この減少に伴う主制御部６０と電源部７０とに対する冷却効果の低減量をそれらの発熱量の低下に合わせることにより、それらを過熱させることなく空冷ファン８０の消費電力が削減される。
【００６０】
こうして電源制御部７２は従来のものとは異なり、抵抗を使うこともＵＶＬＯ負荷ＩＴＬを誤動作させることもなく、空冷ファン８０の電源電圧を稼動モードではＵＶＬＯ負荷ＩＴＬの定格電圧に維持し、待機モードではその定格電圧よりも低い値に抑える。その結果、空冷ファン８０の駆動回路を更に小型化することが可能である。
《実施形態２》
本発明の実施形態２による画像形成装置は、実施形態１によるＭＦＰ１００と同様なＭＦＰである。前者は後者とは電源制御部７２が検出部を更に備えている点でのみ異なり、その他の要素は実施形態１のものと同様である。したがって、以下では相違点のみを説明し、同様な要素については実施形態１の説明を援用する。
【００６１】
図１１は、実施形態２による電源部の回路図である。図１１を参照するに電源制御部７２は、図６の示す要素に加えて検出部７２５を含む。検出部７２５は他の機能部７２１−７２４と同様、電源制御部７２が実装された集積回路の中の１つのモジュールとして構成される。
−検出部−
検出部７２５は外部のセンサーを利用して、次の項目（Ａ）−（Ｆ）に挙げられる物理量の少なくとも１つを検出する。
【００６２】
（Ａ）電源制御部７２は電力変換部７１の駆動部７１ＤＨ、７１ＤＬと帰還部７１Ｆとに対して電源電圧ＶＣＣを印加する。この電源電圧ＶＣＣの印加に伴って電力変換部７１へ供給される電流量を検出部７２５は検出する。
（Ｂ）ＤＣ／ＤＣ変換器７２３は３．３Ｖ等の低電圧ＶＩＳを電源制御部７２内の他の要素７２１、…、および電力変換部７１の駆動部７１ＤＨ、７１ＤＬと帰還部７１Ｆとに対して印加する。この低電圧ＶＩＳの印加に伴ってＤＣ／ＤＣ変換器７２３から供給される電流量を検出部７２５は検出する。
【００６３】
（Ｃ）高電圧部７１Ｈの出力電圧ＶＨは第２経路ＰＴ２を通して負荷ＬＧＬに対して印加される。この出力電圧ＶＨの印加に伴い、高電圧部７１Ｈから第２経路ＰＴ２を通して負荷ＬＧＬへ供給される電流量を検出部７２５は検出する。
（Ｄ）低電圧部７１Ｌの出力電圧ＶＬは低電圧入力端子ＬＶＳを通して、操作部５０、主制御部６０等、比較的消費電力の低い負荷へ印加される。この出力電圧ＶＬの印加に伴って低電圧部７１Ｌから負荷へ供給される電流量を検出部７２５は検出する。
【００６４】
（Ｅ）電力変換部７１が実装された基板部分またはその近傍には温度センサーＴＭＳが設置されている。このセンサーＴＭＳを利用して電力変換部７１そのものの温度、またはその周囲の温度を検出部７２５は検出する。
（Ｆ）搬送ローラーの駆動モーター等、ＵＶＬＯ負荷ＩＴＬの近傍には音量センサーＳＶＳが設置されている。このセンサーＳＶＳを利用して、搬送ローラーの振動音量、そのモーター音量等、ＵＶＬＯ負荷ＩＴＬの動作音量を検出部７２５は検出する。
【００６５】
項目（Ａ）−（Ｄ）における電流量の検出にはたとえば非接触型電流−電圧変換センサー（「ホール電流センサー」ともいう。）が利用される。項目（Ｅ）における温度センサーＴＭＳとしてはたとえばサーミスターが利用される。項目（Ｆ）における音量センサーＳＶＳとしてはたとえば静電型マイクロフォンが利用される。
項目（Ａ）−（Ｆ）に挙げられた物理量はいずれもＭＦＰ１００の動作状態を反映している。特に、ＭＦＰ１００の各要素の動作が活発なほど各物理量は大きい。したがって、これらの物理量を指示部７２４は以下に述べるように、ＭＦＰ１００が待機モードへ移行したことを監視部７２１が検知した時点以降、高電圧部７１Ｈに指示すべき出力電圧ＶＨの降下量の決定に利用する。
【００６６】
−指示部による電流量の検出値の利用−
図１２の（ａ）は、項目（Ａ）−（Ｄ）のいずれかに挙げられた電流量と第２電圧出力端子ＳＯＴの電位の目標値、すなわち空冷ファン８０の電源電圧の目標値との間の関係を表すグラフである。このグラフはＭＦＰ１００の製造時にテーブル化または数式化され、たとえばＲＯＭ６３に記憶される。このテーブルまたは数式を指示部７２４は、ＭＦＰ１００が待機モードへ移行したことを示す監視部７２１からの通知に応じて参照して出力電圧ＶＨの降下量を決定する。図１２の（ａ）を参照するに、電流量が閾値ＵＣＲ以上である場合、指示部７２４は第２電圧出力端子ＳＯＴの電位の目標値を上限値、すなわちＵＶＬＯ負荷ＩＴＬの定格電圧２４Ｖに固定する。この閾値ＵＣＲは、ＭＦＰ１００が稼動モードである場合において、電力変換部７１の駆動部７１ＤＨ、７１ＤＬと帰還部７１Ｆ、電源制御部７２内の要素７２１、…、負荷ＬＧＬ、操作部５０、または主制御部６０が利用する電流量の下限を表す。一方、電流量が閾値ＵＣＲ未満である場合、指示部７２４はその電流量と閾値ＵＣＲとの間の差に比例する量だけ、第２電圧出力端子ＳＯＴの電位の目標値を上限値２４Ｖから降下させる。
【００６７】
図１２の（ｂ）は、検出部７２５が検出した電流量と第２電圧出力端子ＳＯＴの電位とに加え、電源制御部７２が利用する信号ＯＰＭ、ＣＯＦのタイミングチャートである。図１２の（ｂ）を参照するに、ジョブの終了時刻Ｔ１では動作モードの識別情報ＯＰＭが稼動モードから待機モードへ書き換えられ、この書き換えが監視部７２１から指示部７２４へ通知される。この通知に応じて指示部７２４はまず第１指示信号ＣＯＦを無効化して遮断部７２２に第１経路ＰＴ１を切断させる。これにより高電圧部７１ＨからＵＶＬＯ負荷ＩＴＬへの電力供給が遮断される。指示部７２４は次に検出部７２５から電流量の検出値を取得し、その検出値に対応する第２電圧出力端子ＳＯＴの電位の目標値を、ＲＯＭ６３に記憶された図１２の（ａ）のグラフを表すテーブルまたは数式から決定する。指示部７２４はその後、その目標値を第２指示信号ＦＲＲで電力変換部７１の帰還部７１Ｆに指示する。これにより高電圧部７１Ｈの出力電圧ＶＨがＵＶＬＯ負荷ＩＴＬの定格電圧値２４Ｖから降下するので、第２経路ＰＴ２を通して第２電圧出力端子ＳＯＴの電位が定格電圧値２４Ｖから降下する。以後、指示部７２４は検出部７２５が検出する電流量を監視し、その電流量から第２電圧出力端子ＳＯＴの電位の目標値を決定して帰還部７１Ｆに指示する処理を定期的に繰り返す。その結果、図１２の（ｂ）が示すように、第２電圧出力端子ＳＯＴの電位は検出部７２５が検出する電流量と相似な経時的変化を示す。この電位を空冷ファン８０は電源電圧として利用するので、その電位の経時的変化に合わせて空冷ファン８０の風量が推移する。すなわち、検出部７２５が検出した電流量の増減に応じて空冷ファン８０の風量が増減する。一般にその電流量を利用する負荷からはその電流量に比例する熱量が放出されるので、その熱量の増減に合わせて空冷ファン８０の風量が増減することになる。その結果、空冷ファン８０の冷却効果が損なわれることなく、その利用効率が向上する。
【００６８】
項目（Ｄ）に挙げられた低電圧部７１Ｌから負荷へ供給される電流量の検出値を指示部７２４が利用する場合、これらの負荷に図３の示すオプションＰＭＤ、ＥＦＢが含まれるか否か、具体的には、主制御部６０等の基板が備えた接続部を通してオプションＰＭＤ、ＥＦＢが検出されるか否かを指示部７２４は確認する。オプションＰＭＤ、ＥＦＢが検出された場合、指示部７２４はそのオプションの駆動に必要な電流量を検出部７２５から取得した電流量の検出値に加算し、得られた和から帰還部７１Ｆに指示すべき出力電圧ＶＨの降下量を決定する。
【００６９】
−指示部による温度の検出値の利用−
図１３の（ａ）は、項目（Ｅ）に挙げられた温度と第２電圧出力端子ＳＯＴの電位の目標値、すなわち空冷ファン８０の電源電圧の目標値との間の関係を表すグラフである。このグラフはＭＦＰ１００の製造時にテーブル化または数式化され、たとえばＲＯＭ６３に記憶される。このテーブルまたは数式を指示部７２４は、ＭＦＰ１００が待機モードへ移行したことを示す監視部７２１からの通知に応じて参照して出力電圧ＶＨの降下量を決定する。図１３の（ａ）を参照するに、電力変換部７１またはその周囲の温度が閾値ＵＴＭ以上である場合、指示部７２４は第２電圧出力端子ＳＯＴの電位の目標値を上限値、すなわちＵＶＬＯ負荷ＩＴＬの定格電圧２４Ｖに固定する。この閾値ＵＴＭは、ＭＦＰ１００が稼動モードである場合における電力変換部７１そのものの温度とその周囲の温度とのいずれかの下限を表す。一方、温度が閾値ＵＴＭ未満である場合、指示部７２４はその温度と閾値ＵＴＭとの間の差に比例する量だけ、第２電圧出力端子ＳＯＴの電位の目標値を上限値２４Ｖから降下させる。
【００７０】
図１３の（ｂ）は、検出部７２５が検出した温度と第２電圧出力端子ＳＯＴの電位とに加え、電源制御部７２が利用する信号ＯＰＭ、ＣＯＦのタイミングチャートである。図１３の（ｂ）を参照するに、ジョブの終了時刻Ｔ１では動作モードの識別情報ＯＰＭが稼動モードから待機モードへ書き換えられ、この書き換えが監視部７２１から指示部７２４へ通知される。この通知に応じて指示部７２４はまず第１指示信号ＣＯＦを無効化して遮断部７２２に第１経路ＰＴ１を切断させる。これにより高電圧部７１ＨからＵＶＬＯ負荷ＩＴＬへの電力供給が遮断される。指示部７２４は次に検出部７２５から温度の検出値を取得し、その検出値に対応する第２電圧出力端子ＳＯＴの電位の目標値を、ＲＯＭ６３に記憶された図１３の（ａ）のグラフを表すテーブルまたは数式から決定する。指示部７２４はその後、目標値を第２指示信号ＦＲＲで電力変換部７１の帰還部７１Ｆに指示する。これにより高電圧部７１Ｈの出力電圧ＶＨがＵＶＬＯ負荷ＩＴＬの定格電圧値２４Ｖから降下するので、第２経路ＰＴ２を通して第２電圧出力端子ＳＯＴの電位が定格電圧値２４Ｖから降下する。以後、指示部７２４は検出部７２５が検出する温度を監視し、その温度から第２電圧出力端子ＳＯＴの電位の目標値を決定して帰還部７１Ｆに指示する処理を定期的に繰り返す。その結果、図１３の（ｂ）が示すように、第２電圧出力端子ＳＯＴの電位は検出部７２５が検出する温度と相似な経時的変化を示す。この電位を空冷ファン８０は電源電圧として利用するので、その電位の経時的変化に合わせて空冷ファン８０の風量が推移する。すなわち、検出部７２５が検出した温度の増減に合わせて空冷ファン８０の風量が増減する。その結果、空冷ファン８０の冷却効果が損なわれることなく、その利用効率が向上する。
【００７１】
−指示部による音量の検出値の利用−
電流量、温度と同様に、項目（Ｆ）に挙げられた音量、すなわち搬送ローラーの振動音量、そのモーター音量等、ＵＶＬＯ負荷ＩＴＬの動作音量はそれらの要素の動作が活発なほど大きい。したがって、検出部７２５が検出した音量と第２電圧出力端子ＳＯＴの電位の目標値との間の関係を表すグラフは、図１２の（ａ）、図１３の（ａ）と同様である。すなわち、音量がある閾値以上である場合には第２電圧出力端子ＳＯＴの電位の目標値が上限値２４Ｖに固定され、その閾値未満である場合には音量と閾値との間の差に比例する量だけ上限値２４Ｖから降下する。
【００７２】
ジョブの終了直後、搬送ローラーの駆動モーター等のＵＶＬＯ負荷ＩＴＬは制動を受ける。しかし、ＵＶＬＯ負荷ＩＴＬが完全に停止するまでにはある程度の時間が必要であるので、その間に搬送ローラーの振動音量、そのモーター音量等、ＵＶＬＯ負荷ＩＴＬの動作音量は徐々に減衰する。この減衰に合わせてＵＶＬＯ負荷ＩＴＬの発熱量も徐々に減少する。したがって、指示部７２４が音量の検出値に合わせて第２電圧出力端子ＳＯＴの電位の目標値を変化させることにより、その音量の増減に合わせて空冷ファン８０の風量が増減する。その結果、空冷ファン８０の冷却効果が損なわれることなく、その利用効率が向上する。
【００７３】
［電源制御部による処理の流れ］
図１４は電源制御部７２による処理のフローチャートである。この処理は図１０の示す処理とは、ステップＳ１０６がステップＳ２０６、Ｓ２０７に置き換えられ、ステップＳ１０７の後にステップＳ２０８が付加されている点で異なる。以下では、図１０の処理とは異なるステップのみを詳細に説明し、他のステップの詳細については図１０の説明を援用する。
【００７４】
ステップＳ１０１では、ＭＦＰ１００の動作モードの識別情報ＯＰＭをＣＰＵ６１が更新したか否かを監視部７２１が定期的に確認する。その情報ＯＰＭの示す現時点での動作モードが稼動モードであれば処理がステップＳ１０２へ進み、稼動モードでなければ処理がステップＳ１０１を繰り返す。
ステップＳ１０２では、ＭＦＰ１００の現時点での動作モードが稼動モードであるので指示部７２４は電力変換部７１の帰還部７１ＦにＵＶＬＯ負荷ＩＴＬの定格電圧値２４Ｖを指示する。これにより、高電圧部７１Ｈは出力電圧ＶＨをこの目標値２４Ｖまで上昇させる。その後、処理はステップＳ１０３へ進む。
【００７５】
ステップＳ１０３では、指示部７２４が第１指示信号ＣＯＦを有効化して遮断部７２２に第１経路ＰＴ１を導通させる。その後、処理はステップＳ１０４へ進む。
ステップＳ１０４では、動作モードの識別情報ＯＰＭをＣＰＵ６１が更新したか否かを監視部７２１が定期的に確認する。その情報ＯＰＭの示す現時点での動作モードが待機モードであれば処理がステップＳ１０５へ進み、待機モードでなければ処理がステップＳ１０４を繰り返す。
【００７６】
ステップＳ１０５では、ＭＦＰ１００の現時点での動作モードが待機モードであるので指示部７２４は第１指示信号ＣＯＦを無効化して遮断部７２２に第１経路ＰＴ１を切断させる。その後、処理はステップＳ２０６へ進む。
ステップＳ２０６では、指示部７２４は検出部７２５から検出値を取得する。この検出値は、電力変換部７１の駆動部７１ＤＨ、７１ＤＬと帰還部７１Ｆ、電源制御部７２内の要素７２１、…、負荷ＬＧＬ、操作部５０、もしくは主制御部６０の電流量、電力変換部７１もしくはその周囲の温度、またはＵＶＬＯ負荷ＩＴＬの動作音量を表す。その後、処理はステップＳ２０７へ進む。
【００７７】
ステップＳ２０７では、指示部７２４はまず、ステップＳ２０６で取得した検出値に対応する第２電圧出力端子ＳＯＴの電位の目標値を、ＲＯＭ６３に記憶された、図１２の（ａ）、図１３の（ａ）等のグラフを表すテーブルまたは数式から決定する。指示部７２４は次にこの目標値を、ステップＳ１０５で第１指示信号ＣＯＦを無効化した時点から遅れ時間ΔＴＬ１が経過した時点において第２指示信号ＦＲＲで帰還部７１Ｆに指示する。帰還部７１Ｆはこの目標値と高電圧部７１Ｈの実際の出力電圧値ＶＨとの間の差を駆動部７１ＤＨにフィードバックする。これにより高電圧部７１Ｈは出力電圧ＶＨをこの目標値まで降下させる。その後、処理はステップＳ１０７へ進む。
【００７８】
ステップＳ１０７では、ＣＰＵ６１が操作部５０からＭＦＰ１００の電源オフの通知（パワーオフイベントＰＦＦ）を受けたか否かを監視部７２１が確認する。その通知を受けていれば処理がステップＳ１０８へ進み、受けていなければ処理がステップＳ２０８へ進む。
ステップＳ２０８では、ＭＦＰ１００の動作モードの識別情報ＯＰＭをＣＰＵ６１が更新したか否かを監視部７２１が定期的に確認する。その情報ＯＰＭの示す現時点での動作モードが稼動モードであれば処理がステップＳ１０２から繰り返され、稼動モードでなければ処理がステップＳ２０６から繰り返される。
【００７９】
ステップＳ１０８では、ＣＰＵ６１が操作部５０からＭＦＰ１００の電源オフの通知を受けているので、指示部７２４は電力変換部７１に停止を指示する。その後、処理は終了する。
［実施形態２の利点］
本発明の実施形態２による電源制御部７２では実施形態１のものと同様、ＭＦＰ１００が稼動モードである間は指示部７２４が電力変換部７１の高電圧部７１Ｈに出力電圧ＶＨをＵＶＬＯ負荷ＩＴＬの定格電圧に維持させ、遮断部７２２に第１経路ＰＴ１の導通を維持させる。これによりその出力電圧ＶＨがＵＶＬＯ負荷ＩＴＬに対して印加されるのでＵＶＬＯ負荷ＩＴＬは安定に動作し続ける。その出力電圧ＶＨは第２経路ＰＴ２を通して空冷ファン８０に対しても印加されるので、空冷ファン８０の回転数が全速に維持される。したがって、主制御部６０と電源部７０とに対する冷却効果が高く維持される。
【００８０】
ＭＦＰ１００が稼動モードから待機モードへ移行した場合、その移行を示す監視部７２１からの通知に応じて指示部７２４はまず遮断部７２２に第１経路ＰＴ１を切断させる。これによりＵＶＬＯ負荷ＩＴＬの電源電圧が接地電位まで降下するので、ＵＶＬＯ負荷ＩＴＬが確実に停止する。指示部７２４は次に、項目（Ａ）−（Ｆ）のいずれかに挙げられた物理量の検出値を検出部７２５から取得し、その検出値に基づいて高電圧部７１Ｈに指示すべき出力電圧ＶＨの目標値を決定する。この目標値を指示部７２４は電力変換部７１の帰還部７１Ｆに指示する。これにより第２経路ＰＴ２を通して第２電圧出力端子ＳＯＴの電位がＵＶＬＯ負荷ＩＴＬの定格電圧の下限よりも降下するので、空冷ファン８０の回転数が全速よりも減少する。さらに、検出値の変動に従ってその回転数が変動し、その風量が増減する。この増減に伴う主制御部６０と電源部７０とに対する冷却効果の変動は、検出値の変動に反映された主制御部６０と電源部７０との発熱量の変動に対応している。その結果、空冷ファン８０の冷却効果が損なわれることなくその利用効率が向上し、その消費電力が削減される。
【００８１】
こうして電源制御部７２は実施形態１のものと同様に、抵抗を使うこともＵＶＬＯ負荷ＩＴＬを誤動作させることもなく、空冷ファン８０の電源電圧を稼動モードではＵＶＬＯ負荷ＩＴＬの定格電圧に維持し、待機モードではその定格電圧よりも低い範囲で、検出された物理量の表すＭＦＰ１００の動作状態に合わせて変動させる。その結果、空冷ファン８０の駆動回路を更に小型化することが可能であり、かつ待機モードにおける空冷ファン８０の利用効率を更に向上させることが可能である。
【００８２】
［変形例］
（A）本発明の実施形態１、２による画像形成装置はＭＦＰ１００である。本発明の実施形態による画像形成装置はその他に、レーザープリンター、インクジェット等の他方式のプリンター、コピー機、スキャナー、ＦＡＸ等のいずれの単機能機であってもよい。
（B）ＵＶＬＯ負荷ＩＴＬは、上記の実施形態で挙げられたアクチュエーターのドライバー等の素子またはモジュールの単体の他にも、たとえば、高圧電源基板、ＡＤＦ基板、増設カセット基板等、１枚の基板に統合された複数の素子またはモジュールの全体であってもよい。
【００８３】
（C）監視部７２１は、ＲＡＭ６２が保持するＭＦＰ１００の動作モードの識別情報ＯＰＭから、稼働モードと待機モードとの他にスリープモードであることを識別して指示部７２４に通知してもよい。監視部７２１からスリープモードへの移行を通知された場合、指示部７２４は電力変換部７１の帰還部７１Ｆに両電圧部７１Ｈ、７１Ｌの停止を指示してもよい。指示部７２４はその他に、帰還部７１Ｆに高電圧部７１Ｈの出力電圧ＶＨを空冷ファン８０の動作可能な範囲よりも低い値まで降下させて、その値に維持させてもよい。いずれの場合も空冷ファン８０は停止する。スリープモードではＭＦＰ１００のほとんどの要素が停止するので、主制御部６０、電源部７０のいずれも電力消費が極めて低く、発熱量も極めて小さい。したがって、過熱の危険性がないので空冷ファン８０は停止してもよい。これにより、スリープモードでの消費電力が更に削減される。
【００８４】
このとき、指示部７２４が帰還部７１Ｆに指示する電圧値がＤＣ／ＤＣ変換器７２３の動作範囲には属するように設定されてもよい。これにより、スリープモードにおいて空冷ファン８０を停止させる一方で、ＤＣ／ＤＣ変換器７２３には電源制御部７２内の他の要素７２１、…等への電力供給を持続させることができる。
（D）空冷ファン８０は主制御部６０、電源部７０等、図３の示す電装空間ＥＬＳに収められた要素を冷却対象とする。空冷ファンの冷却対象はその他にＣＰＵ６１の単体または定着部３０であってもよい。また、空冷以外の用途のファンが電源制御部７２の第２電圧出力端子ＳＯＴの電位を電源電圧として利用してもよい。そのようなファンとしてはたとえば定着部の換気ファンが挙げられる（たとえば特許文献３参照）。
【００８５】
図１５の（ａ）は、定着部に換気ファンを備えたＭＦＰ１００の部分正面図である。図１５の（ａ）には図２と同様に定着部３０とその周辺の要素とが、あたかもＭＦＰ１００の筐体の前面を透かして見えているように描かれている。図１５の（ａ）を参照するに、ＭＦＰ１００の筐体の側面のうち定着部３０に面した部分には開口部５０１が設けられ、その中にフィルター５０２と換気ファン５０３とが奥から順に嵌め込まれている。フィルター５０２はそれを透過する気流から微粒子を除去する。これらの微粒子は主に、トナー粒子の含む外添剤等のナノサイズ（平均粒子径１ｎｍ−１００ｎｍ）の超微粒子であり、定着ローラー３１からの熱によりシート上のトナー像から遊離して定着部３０の雰囲気中に浮遊したものである。換気ファン５０３は空冷ファン８０と同様に、電源制御部７２の第２電圧出力端子ＳＯＴの電位を電源電圧として利用して回転する。これにより、定着部３０の雰囲気中にフィルター５０２を透過して開口部５０１の外へ吹き出す気流ＡＦを生じさせる。この気流量ＡＦは換気ファン５０３の風量が大きいほど大きいので、定着部３０の雰囲気中から微粒子が除去される速度も高い。
【００８６】
図１５の（ａ）は示していないが、電源制御部７２は図１１の示す要素に加えて微粒子計測部を更に含む。微粒子計測部は、ＭＦＰ１００が印刷ジョブを処理する度にまず、そのジョブの終了時点からの経過時間を計測し、または定着部３０に設置された温度センサーを通して定着ローラー３１の温度を検出する。その計測値または検出値から微粒子計測部は、定着部３０の雰囲気中に浮遊する微粒子の濃度を間接的に計測する。
【００８７】
図１５の（ｂ）は、印刷ジョブの処理時間以後、換気ファン５０３が停止している場合における定着部３０の雰囲気中の微粒子濃度の経時的変化を示すグラフである。このグラフはＭＦＰ１００の製造時にテーブル化または数式化され、たとえばＲＯＭ６３に記憶される。このテーブルまたは数式を微粒子計測部は、ＭＦＰ１００が稼動モードから待機モードへ移行したことを示す監視部７２１からの通知に応じて参照し、その移行の時点からの経過時間の計測値に対応する微粒子濃度を推定する。
【００８８】
このグラフと同様に、印刷ジョブの処理時間以後における定着ローラー３１の温度と定着部３０の雰囲気中の微粒子濃度との間の対応関係を表すグラフがテーブル化または数式化されてＲＯＭ６３に記憶されてもよい。このテーブルまたは数式を利用して微粒子計測部は、稼動モードから待機モードへ移行した時点から定着ローラー３１の温度の検出値に対応する微粒子濃度を推定してもよい。
【００８９】
図１５の（ｃ）は、定着部３０の雰囲気中の微粒子濃度と電源制御部７２の第２電圧出力端子ＳＯＴの電位の目標値、すなわち換気ファン５０３の電源電圧との間の関係を表すグラフである。このグラフはＭＦＰ１００の製造時にテーブル化または数式化されて、たとえばＲＯＭ６３に記憶される。このテーブルまたは数式を指示部７２４は、ＭＦＰ１００が待機モードへ移行したことを示す監視部７２１からの通知に応じて参照し、微粒子計測部が決定した微粒子濃度に基づいて出力電圧ＶＨの降下量を決定する。図１５の（ｃ）を参照するに、微粒子濃度が閾値ＵＤＮ以上である場合、指示部７２４は第２電圧出力端子ＳＯＴの電位の目標値を上限値、すなわちＵＶＬＯ負荷ＩＴＬの定格電圧２４Ｖに固定する。この閾値ＵＤＮは、ＭＦＰ１００が稼動モードである場合における定着部３０の雰囲気中の微粒子濃度の下限を表す。一方、微粒子濃度が閾値ＵＤＮ未満である場合、指示部７２４はその温度と閾値ＵＴＭとの間の差に比例する量だけ、第２電圧出力端子ＳＯＴの電位の目標値を上限値２４Ｖから降下させる。
【００９０】
図１５の（ｂ）のグラフが示すように、印刷ジョブの終了以降、定着部３０の雰囲気中の微粒子濃度は、換気ファン５０３が停止していても微粒子の自然な拡散により徐々に低下する。したがって、このグラフに従って指示部７２４がジョブの終了時点からの経過時間に応じて第２電圧出力端子ＳＯＴの電位の目標値を降下させることにより、微粒子濃度の低下に合わせて換気ファン５０３の風量が抑えられる。その結果、微粒子の除去効果が損なわれることなく換気ファン５０３の利用効率が向上し、その消費電力が削減される。
【００９１】
図１６は電源制御部７２による上記の処理のフローチャートである。この処理は図１０の示す処理とは、ステップＳ１０６がステップＳ３０６、Ｓ３０７に置き換えられ、ステップＳ１０７の後にステップＳ２０８が付加されている点で異なる。以下では、図１０の処理とは異なるステップのみを詳細に説明し、他のステップの詳細については図１０の説明を援用する。
【００９２】
ステップＳ１０１では、ＭＦＰ１００の動作モードの識別情報ＯＰＭをＣＰＵ６１が更新したか否かを監視部７２１が定期的に確認する。その情報ＯＰＭの示す現時点での動作モードが稼動モードであれば処理がステップＳ１０２へ進み、稼動モードでなければ処理がステップＳ１０１を繰り返す。
ステップＳ１０２では、ＭＦＰ１００の現時点での動作モードが稼動モードであるので指示部７２４は電力変換部７１の帰還部７１ＦにＵＶＬＯ負荷ＩＴＬの定格電圧値２４Ｖを指示する。これにより、高電圧部７１Ｈは出力電圧ＶＨをこの目標値２４Ｖまで上昇させる。その後、処理はステップＳ１０３へ進む。
【００９３】
ステップＳ１０３では、指示部７２４が第１指示信号ＣＯＦを有効化して遮断部７２２に第１経路ＰＴ１を導通させる。その後、処理はステップＳ１０４へ進む。
ステップＳ１０４では、動作モードの識別情報ＯＰＭをＣＰＵ６１が更新したか否かを監視部７２１が定期的に確認する。その情報ＯＰＭの示す現時点での動作モードが待機モードであれば処理がステップＳ１０５へ進み、待機モードでなければ処理がステップＳ１０４を繰り返す。
【００９４】
ステップＳ１０５では、ＭＦＰ１００の現時点での動作モードが待機モードであるので指示部７２４は第１指示信号ＣＯＦを無効化して遮断部７２２に第１経路ＰＴ１を切断させる。その後、処理はステップＳ３０６へ進む。
ステップＳ３０６では、微粒子計測部がまず待機モードへの移行時点からの経過時間を計測する。微粒子計測部は次に、この計測値に対応する定着部３０の雰囲気中の微粒子濃度を、ＲＯＭ６３に記憶された、図１５の（ｂ）のグラフを表すテーブルまたは数式から推定する。この推定値を微粒子計測部は指示部７２４へ通知する。その後、処理はステップＳ３０７へ進む。
【００９５】
ステップＳ３０７では、指示部７２４はまず、ステップＳ３０６で通知された推定値に対応する第２電圧出力端子ＳＯＴの電位の目標値を、ＲＯＭ６３に記憶された、図１５の（ｃ）のグラフを表すテーブルまたは数式から決定する。指示部７２４は次にこの目標値を、ステップＳ１０５で第１指示信号ＣＯＦを無効化した時点から遅れ時間ΔＴＬ１が経過した時点において第２指示信号ＦＲＲで帰還部７１Ｆに指示する。帰還部７１Ｆはこの目標値と高電圧部７１Ｈの実際の出力電圧値ＶＨとの間の差を駆動部７１ＤＨにフィードバックする。これにより高電圧部７１Ｈは出力電圧ＶＨをこの目標値まで降下させる。その後、処理はステップＳ１０７へ進む。
【００９６】
ステップＳ１０７では、ＣＰＵ６１が操作部５０からＭＦＰ１００の電源オフの通知（パワーオフイベントＰＦＦ）を受けたか否かを監視部７２１が確認する。その通知を受けていれば処理がステップＳ１０８へ進み、受けていなければ処理がステップＳ２０８へ進む。
ステップＳ２０８では、ＭＦＰ１００の動作モードの識別情報ＯＰＭをＣＰＵ６１が更新したか否かを監視部７２１が定期的に確認する。その情報ＯＰＭの示す現時点での動作モードが稼動モードであれば処理がステップＳ１０２から繰り返され、稼動モードでなければ処理がステップＳ２０６から繰り返される。
【００９７】
ステップＳ１０８では、ＣＰＵ６１が操作部５０からＭＦＰ１００の電源オフの通知を受けているので、指示部７２４は電力変換部７１に停止を指示する。その後、処理は終了する。
こうして電源制御部７２は実施形態１、２のものと同様に、抵抗を使うこともＵＶＬＯ負荷ＩＴＬを誤動作させることもなく、換気ファン５０３の電源電圧を稼動モードではＵＶＬＯ負荷ＩＴＬの定格電圧に維持し、待機モードではその定格電圧よりも低い範囲で、定着部３０の雰囲気中の微粒子濃度の低下に合わせて降下させる。その結果、換気ファン５０３の駆動回路を更に小型化することが可能であり、かつ待機モードにおける換気ファン５０３の利用効率を更に向上させることが可能である。
【００９８】
なお、上記の例では微粒子計測部が印刷ジョブの終了時点からの経過時間または定着ローラー３１の温度から定着部３０の雰囲気中の微粒子濃度を間接的に計測する。微粒子計測部はその他に、パーティクルカウンター等、雰囲気中の微粒子を光学的に数えるセンサーを利用して定着部３０の雰囲気中の微粒子濃度を直に計測してもよい。
（E）図１２の（ａ）、図１３の（ａ）、図１５の（ｃ）の示すグラフでは、検出された物理量と第２電圧出力端子ＳＯＴの電位の目標値とが比例するように設定されている。両者の間の関数関係はその他に、実験またはシミュレーションによって決定された非線形なものであってもよい。
【００９９】
（F）本発明は、上記のＭＦＰ１００のような画像形成装置とは異なるシステムにおいても実施可能である。たとえば、システムが空冷ファンとその冷却対象の要素とを備え、その冷却対象の発熱量がそのシステムの待機状態では動作状態よりも減少する場合、本発明はそのシステムにおいても実施可能である。
【産業上の利用可能性】
【０１００】
本発明は電源制御装置に関し、上記のとおり、システムが待機状態に移行したことに応じて電源からＵＶＬＯ負荷への電力供給を遮断し、その電源の出力電圧をＵＶＬＯ負荷の定格電圧よりも降下させる。このように、本発明は明らかに産業上利用可能である。
【符号の説明】
【０１０１】
１００  ＭＦＰ
７０    電源部
７１    電力変換部
７１Ｒ  整流部
７１Ｈ  高電圧部
７１ＤＨ  高電圧部の駆動部
ＰＴＨ    高電圧部のパワートランジスター
７１Ｌ  低電圧部
７１ＤＬ  低電圧部の駆動部
ＰＴＬ    低電圧部のパワートランジスター
７２    電源制御部
７２１  監視部
７２２  遮断部
７２３  ＤＣ／ＤＣ変換器
７２４  指示部
８０    空冷ファン
ＣＰＳ  商用交流電源
ＩＴＬ  ＵＶＬＯ回路を備えた負荷
ＬＧＬ  ＵＶＬＯ回路を持たない負荷
ＨＶＳ  高電圧入力端子
ＬＶＳ  低電圧入力端子
ＦＯＴ  第１電圧出力端子
ＳＯＴ  第２電圧出力端子
ＰＴ１  第１経路
ＰＴ２  第２経路
【図１】
2017091085.tif 000003
【図２】
2017091085.tif 000004
【図３】
2017091085.tif 000005
【図４】
2017091085.tif 000006
【図５】
2017091085.tif 000007
【図６】
2017091085.tif 000008
【図７】
2017091085.tif 000009
【図８】
2017091085.tif 000010
【図９】
2017091085.tif 000011
【図１０】
2017091085.tif 000012
【図１１】
2017091085.tif 000013
【図１２】
2017091085.tif 000014
【図１３】
2017091085.tif 000015
【図１４】
2017091085.tif 000016
【図１５】
2017091085.tif 000017
【図１６】
2017091085.tif 000018